(57)【要約】【課題】注視すべき対象物の存在を好適に運転者に認識させることが可能な報知装置を提供する。【解決手段】ナビゲーション装置１は、カメラ４と、地図データを記憶するデータ記憶ユニット３６と、システムコントローラ２０と、表示ユニット４０と、音声出力ユニット５０とを有する。システムコントローラ２０は、現在位置が交差点に近付いた場合に、カメラ４が撮像する撮像範囲が最大となる広画角画像ＩＬＲから注意すべき注意対象物Ｔａｇを検出する。そして、システムコントローラ２０は、注意対象物Ｔａｇの検出結果に基づく報知を音声出力ユニット５０により行うと共に、ディスプレイ４４に表示させる画像を切り替える。【選択図】図４
2019211485.tif 000002
【特許請求の範囲】
【請求項１】
移動体の周辺を撮像する撮像部と、
前記移動体の現在位置を含む地図情報を取得する地図情報取得部と、
前記地図情報に基づき、前記撮像部が撮像する撮像範囲を制御し、前記撮像部の撮像画像から注意すべき対象物を検出する対象物検出部と、
前記対象物検出部による検出結果に基づく報知を行う報知部と、
を有することを特徴とする報知装置。
【発明の詳細な説明】
【技術分野】
【０００１】
本発明は、撮影した画像に基づく注意喚起を行う技術に関する。
【背景技術】
【０００２】
従来から、交差点に差し掛かった場合などに、ディスプレイに表示する画像を画角が広い画像に切り替えて表示する技術が知られている。例えば、特許文献１には、魚眼レンズ等で撮影した１８０度以上の視野角を有する画像に対し、自車両が位置する道路と交差する道路との角度に応じて切出す範囲を変化させ、切出した画像をディスプレイに表示する車載カメラ装置が開示されている。
【先行技術文献】
【特許文献】
【０００３】
【特許文献１】特開２０１３−１３６２５８号公報
【発明の概要】
【発明が解決しようとする課題】
【０００４】
交差点等において撮影した広角な画像を表示しても、運転者が運転に集中しているときには、表示された画像を直視して歩行者や走行車両の有無を判定するのが困難な場合がある。
【０００５】
本発明は、上記のような課題を解決するためになされたものであり、注視すべき対象物の存在を好適に運転者に認識させることが可能な報知装置を提供することを主な目的とする。
【課題を解決するための手段】
【０００６】
請求項１に記載の発明は、報知装置であって、移動体の周辺を撮像する撮像部と、移動体の現在位置を含む地図情報を取得する地図情報取得部と、前記地図情報に基づき、前記撮像部が撮像する撮像範囲を制御し、前記撮像部の撮像画像から注意すべき対象物を検出する対象物検出部と、前記対象物検出部による検出結果に基づく報知を行う報知部と、を有することを特徴とする。
【０００７】
また、請求項１０に記載の発明は、報知装置が実行する制御方法であって、移動体の現在位置を含む地図情報を取得する地図情報取得工程と、前記地図情報に基づき、移動体の周辺を撮像する撮像部の撮像範囲を制御し、前記撮像部の撮像画像から注意すべき対象物を検出する対象物検出工程と、前記対象物検出工程による検出結果に基づく報知を行う報知工程と、を有することを特徴とする。
【０００８】
また、請求項１１に記載の発明は、コンピュータが実行するプログラムであって、移動体の現在位置を含む地図情報を取得する地図情報取得手段と、前記地図情報に基づき、移動体の周辺を撮像する撮像部の撮像範囲を制御し、前記撮像部の撮像画像から注意すべき対象物を検出する対象物検出手段と、前記対象物検出手段による検出結果に基づく報知を行う報知手段として前記コンピュータを機能させることを特徴とする。
【図面の簡単な説明】
【０００９】
【図１】実施例に係る表示システムの概略構成である。
【図２】カメラの撮影範囲を示す。
【図３】ナビゲーション装置の概略構成を示す。
【図４】報知処理及び表示切替処理の手順を示すフローチャートである。
【図５】報知処理及び表示切替処理で参照するテーブルの具体例である。
【図６】交差点で自車両が右折する際の報知処理及び表示切替処理の概要を示す。
【発明を実施するための形態】
【００１０】
本発明の好適な実施形態によれば、報知装置は、移動体の周辺を撮像する撮像部と、移動体の現在位置を含む地図情報を取得する地図情報取得部と、前記地図情報に基づき、前記撮像部が撮像する撮像範囲を制御し、前記撮像部の撮像画像から注意すべき対象物を検出する対象物検出部と、前記対象物検出部による検出結果に基づく報知を行う報知部と、を有する。
【００１１】
上記報知装置は、撮像部と、地図情報取得部と、対象物検出部と、報知部とを備える。撮像部は、移動体の周辺を撮像する。地図情報取得部は、移動体の現在位置を含む地図情報を取得する。対象物検出部は、地図情報に基づき、撮像部が撮像する撮像範囲を制御し、撮像画像から注意すべき対象物を検出する。報知部は、対象物検出部による検出結果に基づく報知を行う。この態様により、報知装置は、撮像部の撮像範囲を制御して注意すべき対象物を好適に検出し、当該対象物の存在をユーザに報知して認識させることができる。
【００１２】
上記報知装置の一態様では、報知装置は、前記撮影部の撮像画像を表示部に表示させる表示制御部をさらに有し、前記表示制御部は、前記対象物検出部が検出した対象物を撮像範囲に含む前記撮像部の撮像画像を前記表示部に表示させる。この態様により、報知装置は、注意すべき対象物の存在をユーザに好適に視認させることができる。
【００１３】
上記報知装置の他の一態様では、前記移動体の速度を検出する速度検出部をさらに有し、前記報知部は、前記移動体の速度が所定速度以下の場合に限り、前記報知を行う。この態様により、報知装置は、移動体の直進中などでの不要な報知によりユーザを煩わすのを好適に抑制することができる。
【００１４】
上記報知装置の他の一態様では、前記対象物検出部は、前記移動体の走行道路と交差する道路に進入する際に、前記撮影範囲を最大にした前記撮影画像に基づき、前記対象物を検出する。この態様により、報知装置は、交差点を通過する際にユーザの死角となる位置に存在する対象物の存在を、ユーザに好適に認識させることができる。
【００１５】
上記報知装置の他の一態様では、報知装置は、交差点での前記移動体の進行方向を推定する進行方向推定手段をさらに有し、前記報知部は、前記進行方向推定手段が推定した進行方向に基づき、前記交差点の通過時に実行する前記報知の回数及びタイミングを決定する。この態様により、交差点での右折時と左折時とでそれぞれ適切なタイミングで適切な回数だけ注意喚起に関する報知を行うことができる。
【００１６】
上記報知装置の他の一態様では、前記対象物検出部は、前記移動体の走行道路と交差する道路の歩道又は車線に前記移動体が進入するごとに、前記対象物の検出処理を行い、前記報知部は、前記検出処理の各々に対する検出結果に基づく報知を行う。この態様により、報知装置は、移動体が歩道又は車線に進入するごとに、当該歩道又は車線を移動する対象物を好適に検知し、運転者にその存在を認識させることができる。
【００１７】
上記報知装置の他の一態様では、前記報知部は、前記対象物検出部が検出した前記対象物と前記移動体との相対距離に基づき、前記報知の内容を決定する。この態様により、報知装置は、注意すべき対象物との距離に即して、当該対象物に対する注意喚起のレベルを好適に調整することができる。
【００１８】
上記報知装置の他の一態様では、前記報知部は、前記対象物検出部が検出した前記対象物と前記移動体との接近速度に基づき、前記報知の内容を決定する。この態様により、報知装置は、注意すべき対象物との接近速度に即して、当該対象物に対する注意喚起のレベルを好適に調整することができる。
【００１９】
上記報知装置の他の一態様では、前記表示制御部は、前記表示部に表示させる撮像画像に対して歪み補正を行う。これにより、報知装置は、画角が広い画像を撮影部が取得した場合であっても、歪みのない画像をユーザに視認させることができる。
【００２０】
本発明に係る他の好適な実施形態では、報知装置が実行する制御方法であって、移動体の現在位置を含む地図情報を取得する地図情報取得工程と、前記地図情報に基づき、移動体の周辺を撮像する撮像部の撮像範囲を制御し、前記撮像部の撮像画像から注意すべき対象物を検出する対象物検出工程と、前記対象物検出工程による検出結果に基づく報知を行う報知工程と、を有する。報知装置は、この制御方法を実行することで、撮像部の撮像範囲を制御して注意すべき対象物を好適に検出し、当該対象物の存在をユーザに報知して認識させることができる。
【００２１】
本発明に係るさらに別の実施形態では、コンピュータが実行するプログラムであって、移動体の現在位置を含む地図情報を取得する地図情報取得手段と、前記地図情報に基づき、移動体の周辺を撮像する撮像部の撮像範囲を制御し、前記撮像部の撮像画像から注意すべき対象物を検出する対象物検出手段と、前記対象物検出手段による検出結果に基づく報知を行う報知手段として前記コンピュータを機能させる。コンピュータは、このプログラムを実行することで、撮像部の撮像範囲を制御して注意すべき対象物を好適に検出し、当該対象物の存在をユーザに報知して認識させることができる。好適には、このプログラムは、記憶媒体に記憶される。
【実施例】
【００２２】
以下、図面を参照して本発明の好適な実施例について説明する。
【００２３】
［表示システムの構成］
図１は、本実施例に係る表示システムの概略構成である。表示システムは、ナビゲーション装置１と、カメラ４とを有する。
【００２４】
ナビゲーション装置１は、車両９と共に移動し、カメラ４から取得した画像を表示したり、所定の音声案内を行ったりする。本実施例では、ナビゲーション装置１は、交差点付近において、カメラ４から取得した画像に基づき、運転上注意すべき対象物（「注意対象物Ｔａｇ」とも呼ぶ。）の検出処理を行う。そして、ナビゲーション装置１は、注意対象物Ｔａｇを検出した場合に、所定の報知を行ったり、表示する画像を切り替えたりする。
【００２５】
カメラ４は、車両の正面方向を中心として最大約１８０度の画角の画像を取得し、取得した画像をナビゲーション装置１へ送信する。カメラ４が生成した画像は、注意対象物Ｔａｇの検出処理及びナビゲーション装置１の表示処理に用いられる。カメラ４は、本発明における「撮像部」の一例である。
【００２６】
図２は、１８０度より小さい画角を有する３台のカメラ４Ｌ、４Ｃ、４Ｒから構成されるカメラ４の撮影範囲を示す。図２では、カメラ４Ｌの撮影範囲を一点鎖線、カメラ４Ｌの撮影範囲を実線、カメラ４Ｒの撮影範囲を破線により示している。
【００２７】
図２の例では、カメラ４Ｌは、車両の左前方に向けられ、カメラ４Ｃは、車両の正面に向けられ、カメラ４Ｒは、車両の右前方に向けられている。そして、各カメラ４は、撮影した画像をナビゲーション装置１へ供給する。この場合、ナビゲーション装置１は、各カメラ４から取得した画像を公知の画像処理技術により合成することで、画角が約１８０度となる広角のパノラマ画像（「広画角画像ＩＬＲ」とも呼ぶ。）を生成する。以後では、カメラ４Ｌが撮影した画像を「左側画像ＩＬ」、カメラ４Ｃが撮影した画像を「正面画像ＩＦ」、カメラ４Ｒが撮影した画像を「右側画像ＩＲ」と呼ぶ。
【００２８】
なお、図２の例に代えて、カメラ４は、１台の魚眼レンズを備えるカメラにより構成されていてもよい。この場合、ナビゲーション装置１は、魚眼レンズから取得した画像に対して歪み補正処理を行うことで広画角画像ＩＬＲを生成する。また、ナビゲーション装置１は、魚眼レンズから取得した画像の一部を切り取って歪み補正処理を行うことで、左側画像ＩＬ、右側画像ＩＲ、又は正面画像ＩＦを生成する。
【００２９】
［ナビゲーション装置の構成］
図３は、ナビゲーション装置１の概略構成を示す。ナビゲーション装置１は、例えば据置型のナビゲーション装置や経路案内を行う携帯端末であって、図３に示すように、自立測位装置１０、ＧＰＳ受信機１８、システムコントローラ２０、ディスクドライブ３１、データ記憶ユニット３６、通信用インタフェース３７、通信装置３８、表示ユニット４０、音声出力ユニット５０及び入力装置６０を備える。
【００３０】
自立測位装置１０は、加速度センサ１１、角速度センサ１２及び距離センサ１３を備える。加速度センサ１１は、例えば圧電素子からなり、車両の加速度を検出し、加速度データを出力する。角速度センサ１２は、例えば振動ジャイロからなり、車両の方向変換時における車両の角速度を検出し、角速度データ及び相対方位データを出力する。距離センサ１３は、車両の車輪の回転に伴って発生されているパルス信号からなる車速パルスを計測する。
【００３１】
ＧＰＳ受信機１８は、複数のＧＰＳ衛星から、測位用データを含む下り回線データを搬送する電波１９を受信する。測位用データは、緯度及び経度情報等から車両の絶対的な位置を検出するために用いられる。
【００３２】
システムコントローラ２０は、インタフェース２１、ＣＰＵ（Ｃｅｎｔｒａｌ  Ｐｒｏｃｅｓｓｉｎｇ  Ｕｎｉｔ）２２、ＲＯＭ（Ｒｅａｄ  Ｏｎｌｙ  Ｍｅｍｏｒｙ）２３及びＲＡＭ（Ｒａｎｄｏｍ  Ａｃｃｅｓｓ  Ｍｅｍｏｒｙ）２４を含んでおり、ＲＯＭ２３などに記憶された制御プログラムを実行することで、ナビゲーション装置１全体の制御を行う。本実施例では、システムコントローラ２０は、注意対象物Ｔａｇの検出に基づく報知処理（単に「報知処理」とも呼ぶ。）と、カメラ４から取得した画像に基づくディスプレイ４４の表示切替処理（単に「表示切替処理」とも呼ぶ。）を行う。
【００３３】
具体的に、報知処理では、システムコントローラ２０は、交差点に所定距離以内に近付いたと判断した場合、広画角画像ＩＬＲを生成し、広画角画像ＩＬＲから注意対象物Ｔａｇを検出する。そして、システムコントローラ２０は、検出した注意対象物Ｔａｇと車両９との距離（「対象物距離Ｄｔａｇ」とも呼ぶ。）等に基づき、注意喚起の報知内容を決定し、音声出力ユニット５０により音声出力する。また、表示切替処理では、システムコントローラ２０は、注意対象物Ｔａｇの検出結果に応じて、ディスプレイ４４に広画角画像ＩＬＲを表示させたり、左側画像ＩＬ又は右側画像ＩＲを表示させたりする。システムコントローラ２０は、本発明における「地図情報取得部」、「対象物検出部」、「報知部」、「表示制御部」及びプログラムに基づき動作する「コンピュータ」の一例である。
【００３４】
インタフェース２１は、加速度センサ１１、角速度センサ１２及び距離センサ１３並びにＧＰＳ受信機１８とのインタフェース動作を行う。そして、これらから、車速パルス、加速度データ、相対方位データ、角速度データ、ＧＰＳ測位データ、絶対方位データ等をシステムコントローラ２０に入力する。
【００３５】
システムコントローラ２０、ＣＤ−ＲＯＭドライブ又はＤＶＤ−ＲＯＭドライブなどのディスクドライブ３１、データ記憶ユニット３６、通信用インタフェース３７、表示ユニット４０、音声出力ユニット５０及び入力装置６０は、バスライン３０を介して相互に接続されている。
【００３６】
ディスクドライブ３１は、システムコントローラ２０の制御の下、ＣＤ又はＤＶＤといったディスク３３から、音楽データ、映像データなどのコンテンツデータを読み出し、出力する。なお、ディスクドライブ３１は、ＣＤ−ＲＯＭドライブ又はＤＶＤ−ＲＯＭドライブのうち、いずれか一方としてもよいし、ＣＤ及びＤＶＤコンパチブルのドライブとしてもよい。
【００３７】
データ記憶ユニット３６は、例えば、ＨＤＤなどにより構成され、地図データなどのナビゲーション処理に用いられる各種データを記憶するユニットである。地図データは、道路に相当するリンクと、道路の接続部分（交差点）に相当するノードとにより表された道路データや、各施設に関する施設情報などを含む。
【００３８】
通信装置３８は、例えば、ＦＭチューナやビーコンレシーバ、携帯端末や専用の通信モジュールなどにより構成され、通信用インタフェース３７を介して、ＶＩＣＳ（登録商標、Ｖｅｈｉｃｌｅ  Ｉｎｆｏｒｍａｔｉｏｎ  Ｃｏｍｍｕｎｉｃａｔｉｏｎ  Ｓｙｓｔｅｍ）センタから配信される渋滞や交通情報などの道路交通情報、その他の情報を受信する。
【００３９】
表示ユニット４０は、システムコントローラ２０の制御の下、各種表示データをディスプレイなどの表示装置に表示する。具体的には、システムコントローラ２０は、データ記憶ユニット３６から地図データを読み出す。表示ユニット４０は、システムコントローラ２０によってデータ記憶ユニット３６から読み出された地図データなどを表示画面上に表示する。この場合、表示ユニット４０は、ユーザ入力に基づき、表示させる地図の縮尺を適宜変更する。
【００４０】
表示ユニット４０は、バスライン３０を介してＣＰＵ２２から送られる制御データに基づいて表示ユニット４０全体の制御を行うグラフィックコントローラ４１と、ＶＲＡＭ（Ｖｉｄｅｏ  ＲＡＭ）等のメモリからなり即時表示可能な画像情報を一時的に記憶するバッファメモリ４２と、グラフィックコントローラ４１から出力される画像データに基づいて、液晶、ＣＲＴ（Ｃａｔｈｏｄｅ  Ｒａｙ  Ｔｕｂｅ）等のディスプレイ４４を表示制御する表示制御部４３と、ディスプレイ４４とを備える。ディスプレイ４４は、画像表示部として機能し、例えば対角５〜１０インチ程度の液晶表示装置等からなり、車内のフロントパネル付近に装着される。
【００４１】
音声出力ユニット５０は、システムコントローラ２０の制御の下、ＣＤ−ＲＯＭドライブ３１又はＤＶＤ−ＲＯＭ３２、若しくはＲＡＭ２４等からバスライン３０を介して送られる音声デジタルデータのＤ／Ａ（Ｄｉｇｉｔａｌ  ｔｏ  Ａｎａｌｏｇ）変換を行うＤ／Ａコンバータ５１と、Ｄ／Ａコンバータ５１から出力される音声アナログ信号を増幅する増幅器（ＡＭＰ）５２と、増幅された音声アナログ信号を音声に変換して車内に出力するスピーカ５３とを備えて構成されている。
【００４２】
入力装置６０は、各種コマンドやデータを入力するための、キー、スイッチ、ボタン、リモコン、音声入力装置等から構成されている。入力装置６０は、車内に搭載された当該車載用電子システムの本体のフロントパネルやディスプレイ４４の周囲に配置される。また、ディスプレイ４４がタッチパネル方式の場合、ディスプレイ４４の表示画面上に設けられたタッチパネルも入力装置６０として機能する。
【００４３】
［処理フロー］
図４は、本実施例における報知処理及び表示切替処理の手順を示すフローチャートである。システムコントローラ２０は、図４のフローチャートの処理を、繰り返し実行する。
【００４４】
まず、システムコントローラ２０は、ＧＰＳ受信機１８の出力等に基づき、自車位置を検出する（ステップＳ１０１）。また、システムコントローラ２０は、カメラ４Ｃから取得した正面画像ＩＦをディスプレイ４４に表示させる。
【００４５】
次に、システムコントローラ２０は、車両９が交差点に接近したか否か判定する（ステップＳ１０２）。この場合、システムコントローラ２０は、データ記憶ユニット３６に記憶された地図データを参照し、自車位置と最も近い交差点との距離が所定距離以内に縮まったか否か判定する。そして、システムコントローラ２０は、車両９が交差点に接近したと判断した場合（ステップＳ１０２；Ｙｅｓ）、広画角画像ＩＬＲを取得する（ステップＳ１０３）。この場合、システムコントローラ２０は、各カメラ４から取得した画像に基づき、広画角画像ＩＬＲを生成する。一方、システムコントローラ２０は、交差点に近付いていないと判断した場合（ステップＳ１０２；Ｎｏ）、引き続き、ステップＳ１０１の処理を実行する。
【００４６】
次に、ステップＳ１０４では、システムコントローラ２０は、広画角画像ＩＬＲから注意対象物Ｔａｇが検出されたか否か判定する（ステップＳ１０４）。この場合、システムコントローラ２０は、注意対象物Ｔａｇとして、例えば、歩行者、自転車、車、バイク等の存在の有無を判定する。そして、システムコントローラ２０は、注意対象物Ｔａｇを検出した場合（ステップＳ１０４；Ｙｅｓ）、ステップＳ１０５〜ステップＳ１０８の処理を実行する。一方、システムコントローラ２０は、注意対象物Ｔａｇを検出できなかった場合（ステップＳ１０４；Ｎｏ）、注意喚起の報知を行うことなくフローチャートの処理を終了する。
【００４７】
次に、ステップＳ１０５では、システムコントローラ２０は、音声出力ユニット５０を制御することで、注意喚起の報知を行う（ステップＳ１０５）。この場合、システムコントローラ２０は、対象物距離Ｄｔａｇ等に応じて、注意喚起の内容を決定する。具体的な注意喚起の内容については後述する。これにより、システムコントローラ２０は、注意対象物Ｔａｇの存在を好適に運転者に認識させ、注意対象物Ｔａｇとの衝突等を確実に抑制する。
【００４８】
そして、システムコントローラ２０は、注意対象物Ｔａｇが存在する方向等に応じて、ディスプレイ４４に表示させる画像を正面画像ＩＦから適宜切り替える（ステップＳ１０６）。これにより、具体的な切替方法については後述する。これにより、システムコントローラ２０は、注意対象物Ｔａｇをディスプレイ４４により好適に視認させる。
【００４９】
次に、システムコントローラ２０は、ＧＰＳ受信機１８の出力等に基づき、車両９が交差点を通り過ぎたか否か判定する（ステップＳ１０７）。そして、システムコントローラ２０は、交差点を通り過ぎたと判断した場合（ステップＳ１０７；Ｙｅｓ）、ディスプレイ４４を通常の表示に戻す（ステップＳ１０８）。即ち、この場合、システムコントローラ２０は、ディスプレイ４４に正面画像ＩＦを再び表示させる。
【００５０】
［報知処理及び表示切替処理の具体例］
次に、システムコントローラ２０が図４のステップＳ１０５で実行する報知処理及びステップＳ１０６で実行する表示切替処理の具体例について、図５を参照して説明する。
【００５１】
図５（Ａ）は、システムコントローラ２０が報知処理及び表示切替処理で参照するテーブルの第１の例である。図５（Ａ）のテーブルでは、注意喚起のレベルが２段階に分けられており、システムコントローラ２０は、注意対象物Ｔａｇの種類及び対象物距離Ｄｔａｇに基づき、注意喚起のレベルを決定する。なお、図５の例では、システムコントローラ２０は、例えば、公知の画像認識技術に基づき、歩行者、自転車、車、またはバイクを注意対象物Ｔａｇとして検出する。また、システムコントローラ２０は、注意対象物Ｔａｇを検出した場合に、カメラ４から取得した画像又は／及び図示しないレーダの出力等に基づき、対象物距離Ｄｔａｇを測定する。
【００５２】
図５（Ａ）に示すテーブルは、音声出力の内容を示す「報知内容」の項目と、検出した注意対象物Ｔａｇの種類を示す「注意対象物」の項目と、対象物距離Ｄｔａｇを示す「対象物距離」の項目と、表示切替の態様を示す「表示切替態様」の項目とを有する。
【００５３】
図５（Ａ）の例では、システムコントローラ２０は、注意対象物Ｔａｇが歩行者のときには対象物距離Ｄｔａｇが「１５ｍ」未満の場合、注意対象物Ｔａｇが自転車のときには対象物距離Ｄｔａｇが「３０ｍ」未満の場合、注意対象物Ｔａｇが車又はバイクのときには対象物距離Ｄｔａｇが「５０ｍ」未満の場合に、注意対象物Ｔａｇへの注意喚起の必要性及び緊急性が高いと判断し、注意喚起のレベルを高くする。具体的には、この場合、システムコントローラ２０は、「緊急停止ください」と音声出力ユニット５０により音声出力すると共に、検出した注意対象物Ｔａｇを運転者に視認させるため、ディスプレイ４４に表示させる画像を、広画角画像ＩＬＲに切り替える。なお、システムコントローラ２０は、この場合、広画角画像ＩＬＲをディスプレイ４４に表示させる代わりに、検出した注意対象物Ｔａｇを撮影したカメラ４の画像（即ち左側画像ＩＬ又は／及び右側画像ＩＲ）を表示させてもよい。
【００５４】
一方、図５（Ａ）の例において、システムコントローラ２０は、注意対象物Ｔａｇが歩行者のときには対象物距離Ｄｔａｇが「１５ｍ」以上の場合、注意対象物Ｔａｇが自転車のときには対象物距離Ｄｔａｇが「３０ｍ」以上の場合、注意対象物Ｔａｇが車又はバイクのときには対象物距離Ｄｔａｇが「５０ｍ」以上の場合に、注意対象物Ｔａｇへの注意喚起の必要性又は緊急性が低いと判断し、注意喚起のレベルを低くする。具体的には、この場合、システムコントローラ２０は、「徐行運転により周囲をご確認ください」と音声出力ユニット５０により音声出力する。また、この場合、システムコントローラ２０は、検出した注意対象物Ｔａｇを運転者に視認させる必要性は低いと判断し、ディスプレイ４４の表示切替を行わない。
【００５５】
図５（Ｂ）は、システムコントローラ２０が報知処理及び表示切替処理で参照するテーブルの第２の例である。図５（Ｂ）のテーブルでは、図５（Ａ）のテーブルと同様に、注意喚起のレベルが２段階に分けられている。そして、システムコントローラ２０は、注意対象物Ｔａｇの種類及び対象物距離Ｄｔａｇに加え、自車に対する注意対象物Ｔａｇの接近速度（単に「接近速度Ｖｔａｇ」とも呼ぶ。）に基づき、注意喚起のレベルを決定する。ここで、システムコントローラ２０は、注意対象物Ｔａｇに対する接近速度Ｖｔａｇを、所定時間内における対象物距離Ｄｔａｇの時間変化を監視することで算出する。なお、図５（Ｂ）では、説明の便宜上、注意対象物Ｔａｇの種類、対象物距離Ｄｔａｇ、及び接近速度Ｖｔａｇの想定され得る組合せのうち、一部の組合せについてのみ記載している。
【００５６】
図５（Ｂ）の例では、システムコントローラ２０は、注意対象物Ｔａｇが歩行者のときには対象物距離Ｄｔａｇが「２０ｍ」未満であって接近速度Ｖｔａｇが「５ｋｍ／ｈ」未満の場合に、注意喚起のレベルを高く設定する。具体的には、この場合、システムコントローラ２０は、注意対象物Ｔａｇへの注意喚起の必要性及び緊急性が特に高いと判断し、「緊急停止ください」と音声出力ユニット５０により音声出力させると共に、検出した注意対象物Ｔａｇを運転者に視認させるため、ディスプレイ４４に広画角画像ＩＬＲを表示させる。同様に、システムコントローラ２０は、注意対象物Ｔａｇが自転車のときには対象物距離Ｄｔａｇが「３０ｍ」未満であって接近速度Ｖｔａｇが「５ｋｍ／ｈ」未満の場合、又は、注意対象物Ｔａｇが車又はバイクのときには対象物距離Ｄｔａｇが「５０ｍ」未満であって接近速度Ｖｔａｇが「３０ｋｍ／ｈ」未満の場合に、注意喚起のレベルを高く設定する。なお、システムコントローラ２０は、これらの場合、広画角画像ＩＬＲの代わりに、検出した注意対象物Ｔａｇを撮影したカメラ４の画像（即ち左側画像ＩＬ又は／及び右側画像ＩＲ）を表示させてもよい。
【００５７】
一方、図５（Ｂ）の例において、システムコントローラ２０は、注意対象物Ｔａｇが歩行者のときには対象物距離Ｄｔａｇが「２０ｍ」未満であって接近速度Ｖｔａｇが「５ｋｍ／ｈ」以上の場合、注意喚起のレベルを低く設定する。具体的には、この場合、システムコントローラ２０は、注意対象物Ｔａｇへの注意喚起の必要性又は緊急性が低いと判断し、「徐行運転により周囲をご確認ください」と音声出力ユニット５０により音声出力する。また、システムコントローラ２０は、検出した注意対象物Ｔａｇを運転者に視認させる必要性は低いと判断し、ディスプレイ４４の表示切替を行わない。同様に、システムコントローラ２０は、注意対象物Ｔａｇが自転車のときには対象物距離Ｄｔａｇが「３０ｍ」未満であって接近速度Ｖｔａｇが「５ｋｍ／ｈ」以上の場合、注意対象物Ｔａｇが車又はバイクのときには対象物距離Ｄｔａｇが「５０ｍ」以上であって接近速度Ｖｔａｇが「３０ｋｍ／ｈ」以上の場合には、注意喚起のレベルを低く設定する。
【００５８】
以上説明したように、本実施例に係るナビゲーション装置１は、カメラ４と、地図データを記憶するデータ記憶ユニット３６と、システムコントローラ２０と、表示ユニット４０と、音声出力ユニット５０とを有する。システムコントローラ２０は、現在位置が交差点に近付いた場合に、カメラ４が撮像する撮像範囲が最大となる広画角画像ＩＬＲから注意すべき注意対象物Ｔａｇを検出する。そして、システムコントローラ２０は、注意対象物Ｔａｇの検出結果に基づく報知を音声出力ユニット５０により行うと共に、注意対処物Ｔａｇが表示されるようにディスプレイ４４の画像を切り替える。この態様により、ナビゲーション装置１は、カメラ４の撮像範囲を制御して注意対象物Ｔａｇを好適に検出し、当該注意対象物Ｔａｇの存在をユーザに報知して認識させることができる。
【００５９】
なお、図５（Ａ）、（Ｂ）に記載の報知内容、注意対象物Ｔａｇ、対象距離Ｄｔａｇ、接近速度Ｖｔａｇ及び表示切替態様の組合せは一例であり、本発明が適用可能な組合せはこれに限定されない。また、図５（Ａ）、（Ｂ）に示す内容は、ユーザ設定に基づき変更可能であってもよい。この場合、システムコントローラ２０は、入力装置６０へのユーザ入力に基づき、図５に示す内容の変更を受け付ける。
【００６０】
［変形例］
以下、実施例の各変形例について説明する。なお、これらの各変形例は、組み合わせて上述の実施例に適用してもよい。
【００６１】
（変形例１）
システムコントローラ２０は、右左折すべき交差点に近付いた場合、当該交差点の通過時に報知処理及び表示切替処理を複数回行ってもよい。このとき、好適には、システムコントローラ２０は、車両が交差点で右折するか又は左折するかに応じて報知処理及び表示切替処理のタイミングを設定するとよい。
【００６２】
この場合、システムコントローラ２０は、車両９からＣＡＮなどの所定の通信プロトコルを用いて方向指示器の情報を取得することで、接近した交差点での進行方向を認識する。そして、システムコントローラ２０は、交差点で車両９が左折すると判断した場合、車両９が進入する道路の歩道及び車両９が合流する左折レーンへの各進入時にそれぞれ報知処理及び表示切替処理を行う。一方、システムコントローラ２０は、交差点で車両９が右折すると判断した場合、車両９が進入する道路の歩道への進入時と左折レーンへの進入時と右折レーンへの進入時とでそれぞれ報知処理及び表示切替処理を行う。即ち、システムコントローラ２０は、走行中の道路と交差する道路の歩道又はレーン（車線）の各々に車両９が進入するごとに、図４のステップＳ１０５の報知処理及びステップＳ１０６の表示切替処理を実行する。この場合、例えば、システムコントローラ２０は、走行道路と交差する道路の歩道又は車線への進入を、ＧＰＳ受信機１８の出力に基づく現在位置情報とデータ記憶ユニット３６が記憶する道路データとに基づき認識する。
【００６３】
図６（Ａ）〜（Ｃ）は、交差点で車両９が右折する際の報知処理及び表示切替処理の概要を示す。図６（Ａ）〜（Ｃ）において、範囲４０〜４２は、ディスプレイ４４による表示対象範囲を示す。
【００６４】
図６（Ａ）の例では、車両９は、歩道３０に進入する直前の位置に存在する。この場合、システムコントローラ２０は、約１８０度の画角に基づく広画角画像ＩＬＲを対象に注意対象物Ｔａｇの検出処理を行い、注意対象物Ｔａｇの検出結果に応じて、図５（Ａ）又は図５（Ｂ）のテーブルを参照し、報知処理及び表示切替処理を行う。図６（Ａ）の例では、システムコントローラ２０は、歩道３０に歩行者が存在することを検出し、歩道３０の状況を視認させるため、広画角画像ＩＬＲをディスプレイ４４に表示させている。
【００６５】
図６（Ｂ）の例では、車両９は、歩道３０を通過し、図の左方向を進行方向とする左折レーン３１に進入する直前の位置に存在する。この場合、システムコントローラ２０は、左折レーン３１を走行する接近車両を注意対象物Ｔａｇとして検知し、左レーン３１の状況を視認させるため、右側画像ＩＲをディスプレイ４４に表示させる。なお、この場合、システムコントローラ２０は、左折レーン３１を通る車両を特に警戒すべきことから、右側画像ＩＲを対象に注意対象物Ｔａｇの検出処理を行ってもよい。
【００６６】
また、図６（Ｃ）の例では、車両９は、左折レーン３１を通過し、図の右方向を進行方向とする右折レーン３２に進入する直前の位置に存在する。この場合、システムコントローラ２０は、右折レーン３２を走行する接近車両を注意対象物Ｔａｇとして検知し、右レーン３２の状況を視認させるため、左側画像ＩＬをディスプレイ４４に表示させる。なお、この場合、システムコントローラ２０は、右折レーン３２を通る車両を特に警戒すべきことから、左側画像ＩＬを対象に注意対象物Ｔａｇの検出処理を行い、注意対象物Ｔａｇの検出結果行ってもよい。
【００６７】
なお、車両９が左折する場合、車両９は、歩道３０及び左折レーン３１に進入し、右折レーン３２には進入しないことから、システムコントローラ２０は、図６（Ａ）及び図６（Ｂ）に相当する処理を実行する。
【００６８】
このように、システムコントローラ２０は、右左折する道路の歩道又はレーンの各々に車両９が進入するごとに、報知処理及び表示切替処理を実行することで、運転者に好適に注意喚起を行うことができる。なお、システムコントローラ２０は、目的地を指定した案内ルートが設定されている場合には、方向指示器の情報によらずに、案内ルートの情報に基づき、交差点での進行方向を推定してもよい。また、図６の例では、図５（Ａ）又は図５（Ｂ）のテーブルを参照して報知処理及び表示切替処理を行う場合について説明したが、図５（Ａ）、（Ｂ）に記載の報知内容、注意対象物Ｔａｇ、対象距離Ｄｔａｇ、接近速度Ｖｔａｇ及び表示切替態様の組合せは一例であり、本変形例に適用可能な組合せはこれに限定されない。
【００６９】
（変形例２）
システムコントローラ２０は、車両９の走行速度に応じて、報知処理及び表示切替処理の実行の有無を判定してもよい。
【００７０】
例えば、システムコントローラ２０は、車両９が交差点に接近した場合に、距離センサ１３の出力に基づき、車両９の走行速度を認識し、走行速度が所定の閾値よりも高い場合には、報知処理及び表示切替処理を実行しない。これにより、システムコントローラ２０は、信号表示に基づき車両９が直進する場合などに、不要な注意喚起や表示切替に起因した不快感を運転者に与えるのを防ぐ。一方、システムコントローラ２０は、走行速度が所定の閾値以下の場合には、図４のフローチャートに基づき報知処理及び表示切替処理を実行することで、右左折時等での注意対象物Ｔａｇに対する注意喚起を行う。
【００７１】
（変形例３）
システムコントローラ２０は、現在の時間帯や天候に基づき、報知内容や図５（Ａ）、（Ｂ）に示すテーブル内の対象物距離Ｄｔａｇ等の閾値を変更してもよい。
【００７２】
例えば、システムコントローラ２０は、周囲が明るい昼の時間帯と、周囲が暗い夜の時間帯とで、それぞれの時間帯に適した内容の報知を行う。また、システムコントローラ２０は、夜の時間帯では昼の時間帯よりも警戒が必要であることから、夜の時間帯では昼の時間帯よりも、注意喚起のレベルを高く設定しやすくなるように、対象物距離Ｄｔａｇ等の閾値を設定する。例えば、図５（Ａ）の例では、システムコントローラ２０は、夜の時間帯では、「対象物距離」の欄の各数値を所定率又は所定数だけ大きくすることで、「緊急停止ください」の報知及び表示切替が行われやすくする。同様に、システムコントローラ２０は、図示しない雨滴センサの出力やサーバ装置から取得した気候情報に基づき、雨又は雪であると判断した場合には、晴れや曇りの場合よりも、注意喚起のレベルを高く設定しやすくなるように、対象物距離Ｄｔａｇ等の閾値を設定する。
【００７３】
本変形例によれば、ナビゲーション装置１は、時間帯や気候に応じた適切な注意喚起等を行うことができる。
【００７４】
（変形例４）
ナビゲーション装置１は、正面画像ＩＦ、右側画像ＩＲ、左側画像ＩＬを合成した広画角画像ＩＬＲに基づき注意対象物Ｔａｇの検出を行う代わりに、広画角画像ＩＬＲの元となる正面画像ＩＦ、右側画像ＩＲ、及び左側画像ＩＬを対象に注意対象物Ｔａｇの検出処理を行ってもよい。
【００７５】
（変形例５）
システムコントローラ２０は、音声出力ユニット５０による音声出力により報知を行う代わりに、報知すべき内容をディスプレイ４４に表示させてもよい。
【００７６】
（変形例６）
図４の説明では、システムコントローラ２０は、交差点に接近していない場合等の通常時に、正面画像ＩＦをディスプレイ４４に表示させていた。これに代えて、システムコントローラ２０は、上述の通常時には、正面画像ＩＦ以外の任意の画面（例えばＣＧの地図画面等）を表示していてもよい。
【符号の説明】
【００７７】
１  ナビゲーション装置
４（４Ｌ、４Ｃ、４Ｒ）  カメラ
９  車両
１０  自立測位装置
１２  ＧＰＳ受信機
２０  システムコントローラ
２２  ＣＰＵ
３６  データ記憶ユニット
３８  通信装置
４０  表示ユニット
４４  ディスプレイ
５０  音声出力ユニット
６０  入力装置
【図１】
2019211485.tif 000003
【図２】
2019211485.tif 000004
【図３】
2019211485.tif 000005
【図４】
2019211485.tif 000006
【図５】
2019211485.tif 000007
【図６】
2019211485.tif 000008